(57)【要約】【課題】カセット内の通帳の収納状態が繰り出し不良の原因となる状態か否かを適切に判定できる通帳計数装置を提供する。【解決手段】通帳を整列方向に収納すると共に、前記通帳を繰り出し可能な通帳収納部と、前記整列方向に沿って前記通帳の側面を撮像した画像を取得する画像取得部と、取得した画像に基づいて、前記通帳収納部における前記通帳の収納状態が前記通帳が正常に繰り出される状態か否かを判定する判定部と、を備える、通帳計数装置。【選択図】図１
2014228947.tif 000002
【特許請求の範囲】
【請求項１】
通帳を整列方向に収納すると共に、前記通帳を繰り出し可能な通帳収納部と、
前記整列方向に沿って前記通帳の側面を撮像した画像を取得する画像取得部と、
取得した画像に基づいて、前記通帳収納部における前記通帳の収納状態が前記通帳が正常に繰り出される状態か否かを判定する判定部と、
を備える、通帳計数装置。
【請求項２】
請求項１に記載の通帳計数装置において、
前記判定部は、取得した画像に基づいて前記通帳の側面の角度を検出して、前記通帳の繰り出し状態を判定する、通帳計数装置。
【請求項３】
請求項２に記載の通帳計数装置において、
前記判定部は、検出した前記角度の大きさが所定範囲内に含まれない場合に、前記通帳が正常に繰り出されない状態であると判定する、通帳計数装置。
【請求項４】
請求項３に記載の通帳計数装置において、
前記通帳が正常に繰り出されない状態であると判定された場合に、前記画像取得部により取得された画像、又は前記通帳の収納状態に関する情報を表示する表示部を更に備える、通帳計数装置。
【請求項５】
請求項１に記載の通帳計数装置において、
前記判定部は、取得した画像に基づいて前記整列方向における通帳間の隙間の大きさを検出して、前記通帳が前記通帳収納部に正常に収納されているか否かを判定する、通帳計数装置。
【請求項６】
請求項５に記載の通帳計数装置において、
前記判定部は、検出した前記隙間の大きさが所定値よりも大きい場合に、前記通帳が前記通帳収納部に正常に収納されていないと判定する、通帳計数装置。
【請求項７】
請求項６に記載の通帳計数装置において、
前記通帳が前記通帳収納部に正常に収納されていないと判定された場合に、前記画像取得部により取得された画像、又は前記通帳の収納状態に関する情報を表示する表示部を更に備える、通帳計数装置。
【請求項８】
通帳を整列方向に収納すると共に、前記通帳を繰り出し可能な通帳収納部と、
前記整列方向に沿って前記通帳の側面を撮像した画像を取得する画像取得部と、
取得した画像に基づいて、前記通帳収納部における前記通帳の収納状態が前記通帳が正常に繰り出される状態か否かを判定する判定部と、
を備える通帳計数装置を含み、
前記通帳収納部から繰り出された前記通帳に所定の処理を行なって発行する、通帳発行装置。
【発明の詳細な説明】
【技術分野】
【０００１】
本発明は、通帳計数装置、及び通帳発行装置に関する。
【背景技術】
【０００２】
金融機関の営業所等には、顧客に通帳を発行する通帳発行装置が設置されている。通帳発行装置は、内部に通帳計数装置を含む。通帳計数装置は、カセットに収納された通帳の計数を行う。そして、通帳発行装置は、計数後にカセットから繰り出された通帳に印字等を行い、発行する。
【０００３】
下記の特許文献１には、カセットに収納された通帳の綴じ目側の部分を撮影した画像を取得して、通帳の冊数を計数する通帳計数装置が開示されている。また、特許文献１には、撮影した画像に基づいて、カセット内の通帳のセット状態を検知する技術が開示されている。
【先行技術文献】
【特許文献】
【０００４】
【特許文献１】特開２００８−２８２２８９号公報
【発明の概要】
【発明が解決しようとする課題】
【０００５】
しかし、特許文献１の通帳計数装置は、カセット内において通帳が飛び出してセットされた状態や、通帳が潜り込んでセットされた状態を検知できるが、通帳の収納状態が繰り出し不良の原因となる状態か否かを判定できない。
【０００６】
そこで、本発明は、上記問題に鑑みてなされたものであり、本発明の目的とするところは、カセット内の通帳の収納状態が繰り出し不良の原因となる状態か否かを適切に判定できる通帳計数装置を提供することにある。
【課題を解決するための手段】
【０００７】
上記課題を解決するために、本発明のある観点によれば、通帳を整列方向に収納すると共に、前記通帳を繰り出し可能な通帳収納部と、前記整列方向に沿って前記通帳の側面を撮像した画像を取得する画像取得部と、取得した画像に基づいて、前記通帳収納部における前記通帳の収納状態が前記通帳が正常に繰り出される状態か否かを判定する判定部と、を備える、通帳計数装置が提供される。
【０００８】
また、上記の通帳計数装置において、前記判定部は、取得した画像に基づいて前記通帳の側面の角度を検出して、前記通帳の繰り出し状態を判定しても良い。
【０００９】
また、上記の通帳計数装置において、前記判定部は、検出した前記角度の大きさが所定範囲内に含まれない場合に、前記通帳が正常に繰り出されない状態であると判定しても良い。
【００１０】
また、上記の通帳計数装置において、前記通帳が正常に繰り出されない状態であると判定された場合に、前記画像取得部により取得された画像、又は前記通帳の収納状態に関する情報を表示する表示部を更に備えても良い。
【００１１】
また、上記の通帳計数装置において、前記判定部は、取得した画像に基づいて前記整列方向における通帳間の隙間の大きさを検出して、前記通帳が前記通帳収納部に正常に収納されているか否かを判定しても良い。
【００１２】
また、上記の通帳計数装置において、前記判定部は、検出した前記隙間の大きさが所定値よりも大きい場合に、前記通帳が前記通帳収納部に正常に収納されていないと判定しても良い。
【００１３】
また、上記の通帳計数装置において、前記通帳が前記通帳収納部に正常に収納されていないと判定された場合に、前記画像取得部により取得された画像、又は前記通帳の収納状態に関する情報を表示する表示部を更に備えても良い。
【００１４】
上記課題を解決するために、本発明の別の観点によれば、通帳を整列方向に収納すると共に、前記通帳を繰り出し可能な通帳収納部と、前記整列方向に沿って前記通帳の側面を撮像した画像を取得する画像取得部と、取得した画像に基づいて、前記通帳収納部における前記通帳の収納状態が前記通帳が正常に繰り出される状態か否かを判定する判定部と、を備える通帳計数装置を含み、前記通帳収納部から繰り出された前記通帳に所定の処理を行なって発行する、通帳発行装置が提供される。
【発明の効果】
【００１５】
以上説明したように本発明によれば、カセット内の通帳の収納状態が繰り出し不良の原因となる状態か否かを適切に判定することが可能となる。
【図面の簡単な説明】
【００１６】
【図１】第１〜第３の実施形態に係る通帳発行装置１の構成の一例を示す概略図である。
【図２】通帳７０が収納された通帳カセット１２を上方から見た模式図である。
【図３】通帳カセット１２に収納された通帳７０を繰り出す際の動作を説明するための図である。
【図４】イメージセンサモジュール３２の構成の一例を示す斜視図である。
【図５】取得画像の処理工程の一例を説明するための図である。
【図６】通帳７０が正常に繰り出されない状態を示す図である。
【図７】取得画像における通帳側面の角度の検出例を示す図である。
【図８】通帳が正常に繰り出されない場合の操作表示部４０の表示の一例を示す図である。
【図９】第２の実施形態に係る通帳７０が通帳カセット１２に正常に収納されていない状態を示す図である。
【図１０】第２の実施形態に係る取得画像における通帳間の隙間の検出例を示す図である。
【図１１】第３の実施形態に係る通帳７０が通帳カセット１２に正常に収納されていない状態を示す図である。
【図１２】第３の実施形態に係る取得画像における通帳の先端位置の検出例を示す図である。
【発明を実施するための形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
＜１．第１の実施形態＞
（１−１．通帳発行装置の構成）
【００１９】
図１及び図２を参照しながら、本発明の第１の実施形態に係る通帳発行装置１の構成の一例について説明する。図１は、第１〜第３の実施形態に係る通帳発行装置１の構成の一例を示す概略図である。図２は、通帳７０が収納された通帳カセット１２を上方から見た模式図である。
【００２０】
通帳発行装置１は、金融機関の営業店等に設置されている。通帳発行装置１は、通帳カセット１２から繰り出された通帳に印字等の処理を行なって発行する。なお、通帳発行装置１は、通帳の発行を専用に行う装置に限られず、例えばＡＴＭに搭載されていても良い。
【００２１】
図１に示すように、通帳発行装置１は、通帳収納部の一例である通帳カセット１２と、カセット収納部１４と、ホッパ部１６と、通帳搬送路１８と、通帳処理部２０と、スタック部２２と、リジェクト部２４と、画像取得部３０と、操作表示部４０と、記憶部５０と、制御部５２とを備える。
【００２２】
通帳カセット１２は、カセット収納部１４に着脱自在に装着される。例えば、営業店の係員は、通帳をセットした通帳カセット１２をカセット収納部１４に装着して補充する。通帳カセット１２は、通帳７０を整列方向に収納すると共に、通帳７０を繰出し可能な構成となっている。通帳７０は、通帳カセット１２内に綴じ目側を上にして斜めに傾斜した状態で整列されている。
【００２３】
図３は、通帳カセット１２に収納された通帳７０を繰り出す際の動作を説明するための図である。図３に示すように、通帳カセット１２は、押圧板１３ａと、ゲート１３ｅとを有する。
【００２４】
押圧板１３ａは、付勢部材であるコイルスプリング１３ｃにより付勢されている。押圧板１３ａは、繰り出し口１３ｂ側に通帳７０を押圧している。繰出しローラ１３ｄは、回転可能なローラであり、接触した通帳７０を繰り出す。ゲート１３ｅは、繰り出し口１３ｂに設けられた規制板であり、通帳７０を所定冊数（一冊）ずつ通過させる（繰り出させる）。
【００２５】
図１に戻って説明を続ける。カセット収納部１４は、ホッパ部１６の両側に複数段設けられている。カセット収納部１４には番号が付与されており、制御部５２は、カセット収納部１４の番号により、通帳カセット１２の装着の有無を管理する。
【００２６】
ホッパ部１６は、通帳カセット１２から繰り出された通帳７０を取り込む。ホッパ部１６に取り込まれた通帳は、通帳搬送路１８へ移送される。通帳搬送路１８は、通帳を搬送する搬送路である。
【００２７】
通帳処理部２０は、通帳搬送路１８に沿って配置された磁気ヘッド、頁捲り手段、印字手段、頁検知手段、印字済行検知手段等を有する。
【００２８】
スタック部２２には、通帳処理部２０で全ての処理が終わった通帳が搬送される。スタック部２２に通帳を搬送することで、通帳の発行がなされる。
【００２９】
リジェクト部２４は、リジェクトの通帳を回収・保管する。例えば、通帳処理部２０による処理中にエラーが発生した場合、又は通帳自体に問題がある場合に、通帳がリジェクト部２４に搬送される。
【００３０】
画像取得部３０は、通帳カセット１２の一側上部に位置するように設けられている。画像取得部３０は、図２に示すように、イメージセンサモジュール３２を有する。イメージセンサモジュール３２は、図２で矢印で示したように通帳７０の整列方向（水平方向）に直線的に往復移動するものとなっている。
【００３１】
図４は、イメージセンサモジュール３２の構成の一例を示す斜視図である。図４に示したように、イメージセンサモジュール３２は、光源３３と、レンズ３４と、イメージセンサ３５とを備えている。
【００３２】
光源３３は、通帳カセット１２に収納されている通帳７０の上部つまり綴じ目側の部分に光を斜め側方から照射する。イメージセンサ３５は、反射光をレンズ３４を介して受光する。これにより、イメージセンサモジュール３２は、整列方向に沿って通帳７０の側面を撮像した画像（通帳７０の上部つまり綴じ目側の部分の側面画像）を取得する。なお、撮像される範囲は、図３に示す撮像領域３８である。画像取得部３０は、取得した画像データを制御部５２に送信する。
【００３３】
図１に戻って説明を続ける。操作表示部４０は、ＬＣＤ等の表示部と、表示部上に配置されたオペレータ（係員）操作用のタッチパネルと、により構成されている。操作表示部４０は、詳細は後述するが、通帳カセット１２に通帳が正常に収納されていない場合に、通帳の収納状態を報知する。
【００３４】
記憶部５０には、計数処理用プログラムを含む、各種制御プログラムが格納されている。
【００３５】
制御部５２は、記憶部５０記憶された制御プログラムに従って、ホッパ部１６、通帳搬送路１８、通帳処理部２０、スタック部２２、リジェクト部２４、画像取得部３０、操作表示部４０等を制御する。これにより、制御部５２は、通帳の発行処理を実行すると共に、画像取得部３０の取得画像に基づいて各通帳カセット１２内の通帳７０の計数処理を行う。
【００３６】
図５は、取得画像の処理工程の一例を説明するための図である。制御部５２は、図５（ａ）に示す画像データを画像取得部３０から受け取り、エッジ処理を行う。そして、制御部５２は、図５（ｂ）に示すように、画像を背景色（黒）と通帳色（白）に分けて、黒地に通帳７０の側面形状を白抜きにした画像に変換する。その後、制御部５２は、特徴点（通帳の綴じ目部分が描く山形の山頂部や、隣り合う通帳により形成される谷底部）により、通帳の冊数を計数する。
【００３７】
制御部５２は、外部インタフェースを有し、通帳記帳や通帳発行の際、必要に応じて外部インタフェースにより通信回線９２を介して上位装置であるホストサーバ９０（図１参照）と接続する。
【００３８】
（１−２．通帳の収納状態の判定）
通帳発行装置１においては、係員が通帳カセット１２に通帳をセットすることで、通帳が通帳カセット１２に収納される。係員が通帳をセットするため、通帳の収納状態のバラツキが発生しうる。すなわち、通帳が通帳カセット１２に正常に収納されている場合と、正常に収納されていない場合とが、発生しうる。
【００３９】
例えば図３に示すように通帳７０が通帳カセット１２に正常に収納された場合には、通帳７０は、繰出しローラ１３ｄによって斜め上方に繰出されてゲート１３ｅを通過する。これにより、通帳７０は、一冊ずつ正常に繰り出されることになる。
【００４０】
一方で、通帳７０が通帳カセット１２に正常に収納されていない場合には、繰出しローラ１３ｄは通帳７０を繰り出すことができず、繰出し不良が発生する。例えば図６に示すように、先頭にセットされた通帳７０が立った状態で収納されている場合には、通帳７０がゲート１３ｅに引っ掛かった状態となる。かかる場合には、繰出しローラ１３ｄが通帳７０に接触できないため、通帳７０を繰り出すことができない。図６は、通帳７０が正常に繰り出されない状態を示す図である。
【００４１】
そこで、第１の実施形態では、通帳カセット１２内の通帳の収納状態が繰り出し不良の原因となる状態か否かを適切に判定すべく、制御部５２は以下に説明するような制御を行う。なお、かかる制御は、通帳カセット１２が新たに装着されたタイミングや、一日の所定の時間（例えば朝）に行なわれる。
【００４２】
制御部５２は、画像取得部３０が取得した画像（具体的には、通帳側面の上部を撮像した画像）に基づいて、通帳カセット１２における通帳の収納状態が正常に繰り出される状態か否かを判定する。これにより、通帳カセット１２内の通帳の収納状態が繰り出し不良の原因となる状態か否かを適切に判定できる。
【００４３】
制御部５２は、取得した画像に基づいて通帳の側面の角度を検出して、通帳の繰り出し状態を判定する。具体的には、制御部５２は、検出した角度の大きさが所定範囲内に含まれない場合には、通帳が正常に繰り出されない状態であると判定する。一方で、制御部５２は、検出した角度の大きさが所定範囲内に含まれる場合には、通帳が正常に繰り出される状態であると判定する。これにより、簡易な方法にて、通帳が正常に繰り出される状態か否かが判定される。
【００４４】
図７は、取得画像における通帳側面の角度の検出例を示す図である。図７（ａ）は、図３に示すように通帳７０が正常に収納された場合の取得画像を示し、図７（ｂ）は、図６に示すように通帳７０が正常に収納されていない場合の取得画像を示す。通帳７０が正常に収納された場合には、通帳７０の側面の角度（具体的には、図７（ａ）に示すように鉛直方向に対する角度Ａ１）が、ゲート１３ｅに引っ掛からない所定角度よりも大きい。一方で、通帳が正常に収納されていない場合には、立った状態の通帳の側面の角度（図７（ｂ）に示す角度Ａ２）が、所定角度よりも小さい。
【００４５】
制御部５２は、通帳が正常に繰り出されない状態であると判定した場合には、操作表示部４０に通帳の収納状態を通知するための表示を行わせる。具体的には、操作表示部４０は、通帳が正常に繰り出されない状態であると判定された場合に、画像取得部３０により取得された取得画像（図７（ｂ）に示す画像）、又は図８に示すように通帳の収納状態に関する情報を表示する。
【００４６】
図８は、通帳が正常に繰り出されない場合の操作表示部４０の表示の一例を示す図である。操作表示部４０は、例えば、図８に示すように通帳カセット１２内の先頭の通帳がセット不良であるメッセージ４１を表示する。これにより、係員は、操作表示部４０のメッセージ４１を見て、通帳カセット１２の通帳をセットし直すことができる。また、操作表示部４０は、通帳の収納状態を表示すると共に、計数結果も一緒に表示しても良い。
【００４７】
また、制御部５２は、通帳が正常に繰り出されない状態であると判定した場合には、判定結果を上位装置であるホストサーバ９０に通知することも可能である。これにより、上位装置側で、通帳発行装置１に対する措置を講じやすくなる。
【００４８】
なお、制御部５２は、通帳が正常に繰り出されない状態であると判定した場合には、表示に限られず、例えば音声を出力させても良い。これにより、係員により確実に報知できる。
【００４９】
（１−３．第１の実施形態の有効性）
上述した第１の実施形態によれば、取得した画像に基づいて通帳の側面の角度を検出して、検出した角度の大きさが所定範囲内に含まるか否かを判断することで、通帳が正常に繰り出される状態か否かを判定する。これにより、図６に示すように通帳が立っている場合には、通帳が正常に繰り出されない状態であることを適切に検出できる。
【００５０】
なお、上記では、図７や図８に示すように通帳カセット１２の先頭の通帳の側面の角度を検出して、当該通帳が正常に繰り出される状態か否かを判定していたが、これに限定されない。例えば、先頭以外の通帳に対しても、同様な判定を行なっても良い。
【００５１】
＜２．第２の実施形態＞
第１の実施形態では、通帳カセット１２内の通帳が立って正常に収納されていないケース（図６）について説明した。通帳が正常に収納されていない他のケースとして、例えば図９に示すような場合がある。
【００５２】
図９は、第２の実施形態に係る通帳７０が通帳カセット１２に正常に収納されていない状態を示す図である。図９では、通帳カセット１２内の通帳７０の一部が潜り込んでセットされている。このため、通帳７０の上方（通帳７０の左右の通帳の間）には、隙間が発生する。かかる場合には、通帳７０が先頭に位置しても、繰出しローラ１３ｄが７０に適切に接触できないため、通帳７０を繰り出すことができない。
【００５３】
第２実施形態では、図９に示すような通帳のセット不良を検出すべく、制御部５２は以下に説明するような制御を行う。
【００５４】
制御部５２は、取得した画像に基づいて整列方向における通帳間の隙間の大きさを検出して、通帳が通帳カセット１２に正常に収納されているか否かを判定する。具体的には、制御部５２は、検出した隙間の大きさが所定値よりも大きい場合には、通帳が通帳カセット１２に正常に収納されていないと判定する。一方で、制御部５２は、検出した隙間の大きさが所定値よりも小さい場合には、通帳が通帳カセット１２に正常に収納されていると判定する。これにより、簡易な方法にて、通帳が正常に収納されているか否かが判定される。
【００５５】
図１０は、第２の実施形態に係る取得画像における通帳間の隙間の検出例を示す図である。図９に示すように通帳７０の一部が潜り込んだ場合には、通帳７０の左右の通帳間に大きな隙間Ｂが形成される。この隙間は、予め設定された所定値よりも大きい。
【００５６】
制御部５２は、通帳が正常にセットされていない状態であると判定した場合には、操作表示部４０に通帳の収納状態を通知するための表示を行わせる。具体的には、操作表示部４０は、通帳が通帳カセット１２に正常に収納されていないと判定された場合に、画像取得部３０により取得された画像（図１０に示す画像）、又は通帳の収納状態に関する情報（図８参照）を表示する。これにより、係員は、操作表示部４０の表示を見て、通帳カセット１２の通帳をセットし直すことができる。
【００５７】
また、制御部５２は、通帳が正常にセットされていない状態であると判定した場合には、判定結果を上位装置であるホストサーバ９０に通知しても良い。また、制御部５２は、表示に限られず、例えば音声を出力させても良い。
【００５８】
第２の実施形態によれば、取得した画像に基づいて整列方向における通帳間の隙間の大きさを検出して、隙間が所定値よりも大きいか否かを判断することで、通帳カセット１２の通帳の収納状態を適切に判定できる。
【００５９】
なお、上記では、通帳間の一つの隙間の大きさを検出して通帳の収納状態を判定していたが、これに限定されない。例えば、複数の隙間の大きさを検出して通帳の収納状態を判定しても良い。また、所定値は、判断する隙間の整列方向における位置に応じて、異なることとしても良い。これにより、判定精度を上げることが可能となる。
【００６０】
また、上記では、図９に示すように通帳７０の一部が潜り混んでセットされた場合について説明したが、これに限定されず、例えば通帳間に異物が挟まっている場合についても同様なことが言える。すなわち、通帳間に異物が挟まっていると通帳を繰り出すことができない。そして、異物が挟む通帳間に隙間が形成される点に着目し、かかる隙間を検出することで、通帳カセット１２における通帳の収納状態を判定できる。
【００６１】
＜３．第３の実施形態＞
第１の実施形態では、通帳が立っているため通帳カセット１２から繰り出されないケース（図６）について説明した。通帳が繰り出されない他のケースとして、例えば図１１に示すような場合がある。
【００６２】
図１１は、第３の実施形態に係る通帳７０が通帳カセット１２に正常に収納されていない状態を示す図である。先頭にセットされた通帳が大きくカールしている場合には、通帳７０の先端がゲート１３ｅの先端１３ｆに対して押出板１３ａ側に位置する。このため、繰出しローラ１３ｄにより繰り出された通帳は、ゲート１３ｅに当たり通過できない。
【００６３】
そこで、第３の実施形態では、通帳カセット１２内の通帳の収納状態が繰り出し不良の原因となる状態か否かを適切に判定すべく、制御部５２は以下に説明するような制御を行う。
【００６４】
制御部５２は、取得した画像に基づいて通帳の上端のゲート１３ｅに対する位置を検出して、通帳の繰り出し状態を判定する。具体的には、制御部５２は、検出した位置が所定範囲内に含まれない場合には、通帳が正常に繰り出されない状態であると判定する。一方で、制御部５２は、検出した位置が所定範囲内に含まれる場合には、通帳が正常に繰り出される状態であると判定する。これにより、簡易な方法にて、通帳が正常に繰り出される状態か否かが判定される。
【００６５】
図１２は、第３の実施形態に係る取得画像における通帳の先端位置の検出例を示す図である。図１２（ａ）は、図３に示すように通帳７０が正常に収納された場合（通帳がカールしていない場合）の取得画像を示し、図１２（ｂ）は、図１１に示すように通帳７０が正常に収納されていない場合（通帳が大きくカールしている場合）の取得画像を示す。
【００６６】
通帳がほとんどカールしていない場合には、図１２（ａ）に示すように、通帳の先端位置Ｄ１は、ゲート１３ｅの先端位置Ｃ２に対して基準位置Ｃ１側に位置する。一方で、通帳が大きくカールしている場合には、図１２（ｂ）に示すように、通帳の先端位置Ｄ２は、ゲート１３ｅの先端位置Ｃ２に対して基準位置Ｃ１の反対側に位置する。このため、制御部５２は、通帳の先端位置Ｄ２が基準位置Ｃ１とゲート１３ｅの先端位置Ｃ２との間に位置する場合には、通帳が正常に繰り出される状態であると判定する。すなわち、所定範囲は、基準位置Ｃ１とゲート１３ｅの先端位置Ｃ２との間になる。
【００６７】
第３の実施形態によれば、取得した画像に基づいて通帳の上端のゲートに対する位置を検出して、所定の範囲内に含まれるか否かを判断することで、通帳カセット１２内の通帳の収納状態が繰り出し不良の原因となる状態か否かを判定できる。
【００６８】
また、第３の実施形態でも、第１の実施形態と同様に、通帳が正常に繰り出されない状態であると判定した場合には、操作表示部４０に通帳の収納状態を通知するための表示を行わせる。
【００６９】
なお、上記では、先頭にセットされた通帳の先端位置を検出し、通帳がカールしているか否かを判定していたが、これに限定されない。例えば、ゲート１３ｅの先端位置を予め記憶し、通帳の先端位置とゲート１３ｅの先端位置とを比較することで、通帳がカールしているか否かを判定しても良い。
【００７０】
また、第１〜第３の実施形態において、通帳の種類や厚さによって、判断する所定値を調整しても良い。これにより、判定精度を上げることが可能となる。
【００７１】
＜４．まとめ＞
上述した通帳発行装置１（通帳計数装置）においては、画像取得部３０が取得した画像に基づいて、通帳カセット１２における通帳の収納状態が正常に繰り出される状態か否かを判定する。これにより、通帳カセット１２内の通帳の収納状態が繰り出し不良の原因となる状態か否かを判定できる。
【００７２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００７３】
１      通帳発行装置
１２    通帳カセット
１３ｄ    繰出しローラ
１３ｅ    ゲート
３０    画像取得部
３２    イメージセンサモジュール
４０    操作表示部
５２    制御部
７０    通帳
【図１】
2014228947.tif 000003
【図２】
2014228947.tif 000004
【図３】
2014228947.tif 000005
【図４】
2014228947.tif 000006
【図５】
2014228947.tif 000007
【図６】
2014228947.tif 000008
【図７】
2014228947.tif 000009
【図８】
2014228947.tif 000010
【図９】
2014228947.tif 000011
【図１０】
2014228947.tif 000012
【図１１】
2014228947.tif 000013
【図１２】
2014228947.tif 000014